(57)【特許請求の範囲】
【請求項１】
前面に開口する陳列室内に商品を陳列するための棚を複数段設けて成るオープンショーケースにおいて、
前記陳列室の背面両側に設けられ、前記複数段の棚のうちの少なくとも一つの棚を架設するための棚支柱と、
前記棚の前部に着脱可能に取り付けられ、少なくとも前記商品の取り出しが不能となるよう当該棚上の空間前部を閉じるためのカバーと、
後部が前記棚支柱にそれぞれ係合され、前部が前記カバーの両側にそれぞれ連結される一対の腕部材と、
各腕部材と前記カバーとの連結を施錠する施錠具とを備えたことを特徴とするオープンショーケース。
【請求項２】
前記カバーは前記棚に吸着する磁石を備え、該磁石が吸着した状態で前記棚前方において起立することを特徴とする請求項１に記載のオープンショーケース。
【請求項３】
前記棚は、引き出し自在の可動式の棚であり、該棚の下面両側前部には当該棚の前方への移動を許容及び規制するためのストッパの操作部が設けられると共に、当該棚上の両側部には上側の前記棚の前記操作部下方に対応して前記商品の陳列を禁止するための間隔保持部を備え、前記カバーの磁石は当該カバーの両側部に設けられて前記各間隔保持部に吸着することを特徴とする請求項２に記載のオープンショーケース。
【請求項４】
前記棚の前面にはプライスレールが設けられており、前記カバーは前記棚に取り付けられた状態で前記プライスレールを覆うことを特徴とする請求項１乃至請求項３のうちの何れかに記載のオープンショーケース。
【請求項５】
前記カバーの上部は後側に折曲され、後方に所定距離延在することを特徴とする請求項１乃至請求項４のうちの何れかに記載のオープンショーケース。
【請求項６】
前記棚は、引き出し自在の可動式の棚であり、該棚の下面前部には当該棚の前方への移動を許容及び規制するためのストッパの操作部が設けられ、前記カバーの上部には、上側の前記棚の前記操作部に対応する切欠が形成されていることを特徴とする請求項１乃至請求項５のうちの何れかに記載のオープンショーケース。
【発明の詳細な説明】
【技術分野】
【０００１】
本発明は、前面に開口する陳列室内に棚を設けて成るオープンショーケースに関するものである。
【背景技術】
【０００２】
従来よりこの種オープンショーケースは、例えば特許文献１に示される如く、前面に開口する断面略コ字状の断熱壁内を仕切板にて仕切り、この仕切板の前側を陳列室（貯蔵室）とし、後側をダクトとしている。そして、前記陳列室の背面両側には棚支柱が設けられ、この棚支柱に商品を陳列するための棚を複数段架設すると共に、ダクト内には冷却器と送風機を設置し、この冷却器により冷却された冷気を送風機にて前記開口上縁の冷気吐出口から吐出し、開口下縁の冷気吸込口から吸い込む。これによって、開口に冷気エアーカーテンを形成しつつ、一部を陳列室内に循環させて、各棚上の商品を冷却する方式とされていた。
【先行技術文献】
【特許文献】
【０００３】
【特許文献１】特開平５−１１５３４４号公報
【発明の概要】
【発明が解決しようとする課題】
【０００４】
複数段架設された棚には、それぞれ商品が陳列されることとなるが、商品によっては、その販売形態などによりその販売が制限される場合がある。例えば、医薬品などの場合、薬事法によりその販売時間帯などが制限される場合がある。販売が制限された商品が、当該制限がない商品と同一のショーケースにおいて陳列されていると、どの商品が販売制限されているが否かが不明瞭となり、個別に販売制限がある旨の表示等を行っても、その陳列形態が複雑化する。これにより、顧客はその販売制限がある商品であるにもかかわらず、商品を陳列棚から取り出してしまう不都合が生じる。
【０００５】
商品の販売制限の条件に該当する度に該当商品を当該棚から搬出する作業を行うことが考えられるが、係る作業は煩雑となる。また、当該商品を搬出した後も販売制限の条件解除後における販売に供すべく、別置きの設備において所定温度に冷却しておく必要がある。
【０００６】
そこで、特定の商品が陳列された棚の前面を閉塞するカバーを着脱自在に設けたオープンショーケースが開発されている。この場合、棚上の空間前部を前方に開放した状態と、閉じた状態とに変更可能とするカバーを棚の前端部に設けられたプライスカードを取り付けるための溝などに差し込みことで設けていた。
【０００７】
しかしながら、かかる構成では、顧客が故意にカバーを取り外してしまい、販売を制限したい商品が取り出されてしまう問題がある。また、当該カバーが設けられる棚を引出自在の可動棚により構成することで、陳列室内に収納された状態では、カバーの上端が直ぐ上の棚下面に近接若しくは、陳列室の前面開口上縁に近接することで当該カバーの取り外しを不能とし、棚が引き出された状態で、カバーを取り外し可能としている。この場合、顧客が故意に可動棚を引き出してしまうとカバーが設けられていても、当該棚上に陳列収納された商品が取出可能となってしまう。
【０００８】
そのため、より厳格な商品の販売規制を容易に実現することができるオープンショーケースが開発が望まれていた。
【０００９】
本発明は、従来の技術的課題を解決するためになされたものであり、棚上に商品を陳列したままで、簡素な構成にて特定の商品の販売制限等を円滑に、且つ、厳格に行うことを可能とするオープンショーケースを提供する。
【課題を解決するための手段】
【００１０】
上記課題を解決するために、本発明のオープンショーケースは、前面に開口する陳列室内に商品を陳列するための棚を複数段設けて成るものであって、陳列室の背面両側に設けられ、複数段の棚のうちの少なくとも一つの棚を架設するための棚支柱と、棚の前部に着脱可能に取り付けられ、少なくとも商品の取り出しが不能となるよう当該棚上の空間前部を閉じるためのカバーと、後部が棚支柱にそれぞれ係合され、前部がカバーの両側にそれぞれ連結される一対の腕部材と、各腕部材とカバーとの連結を施錠する施錠具とを備えたことを特徴とする。
【００１１】
請求項２の発明のオープンショーケースは、上記においてカバーは棚に吸着する磁石を備え、この磁石が吸着した状態で棚前方において起立することを特徴とする。
【００１２】
請求項３の発明のオープンショーケースは、上記において棚は、引き出し自在の可動式の棚であり、この棚の下面両側前部には当該棚の前方への移動を許容及び規制するためのストッパの操作部が設けられると共に、当該棚上の両側部には上側の棚の操作部下方に対応して商品の陳列を禁止するための間隔保持部を備え、カバーの磁石は当該カバーの両側部に設けられて各間隔保持部に吸着することを特徴とする。
【００１３】
請求項４の発明のオープンショーケースは、上記各発明において棚の前面にはプライスレールが設けられており、カバーは棚に取り付けられた状態でプライスレールを覆うことを特徴とする。
【００１４】
請求項５の発明のオープンショーケースは、上記各発明においてカバーの上部は後側に折曲され、後方に所定距離延在することを特徴とする。
【００１５】
請求項６の発明のオープンショーケースは、上記各発明において棚は、引き出し自在の可動式の棚であり、この棚の下面前部には当該棚の前方への移動を許容及び規制するためのストッパの操作部が設けられ、カバーの上部には、上側の棚の操作部に対応する切欠が形成されていることを特徴とする。
【発明の効果】
【００１６】
本発明によれば、前面に開口する陳列室内に商品を陳列するための棚を複数段設けて成るオープンショーケースにおいて、陳列室の背面両側に設けられ、複数段の棚のうちの少なくとも一つの棚を架設するための棚支柱と、棚の前部に着脱可能に取り付けられ、少なくとも商品の取り出しが不能となるよう当該棚上の空間前部を閉じるためのカバーと、後部が棚支柱にそれぞれ係合され、前部がカバーの両側にそれぞれ連結される一対の腕部材と、各腕部材とカバーとの連結を施錠する施錠具とを備えているので、カバーにて特定の棚上の空間前部を閉じることで、当該棚上の商品を取り出せないようにすることが可能となる。
【００１７】
これにより、例えば薬事法などにより販売形態が制限される商品であっても、当該商品が陳列される特定の棚上の空間前部をカバーにて閉じることにより、顧客が任意に当該商品を取り出して販売に供されてしまう不都合を未然に回避することが可能となる。
【００１８】
特に、本発明では、腕部材と施錠具にてこのカバーの取り外しを禁止することできるため、棚上の空間前部が閉じられた状態を厳格に維持することができ、顧客等により故意にカバーが取り外される等によって、当該前部が閉じられた状態の棚上から商品等が任意に取り出されてしまう不都合を確実に回避することができる。
【００１９】
また、腕部材をカバーに施錠した状態で、カバーは前方に移動できなくなるので、棚が引き出し自在の可動式の棚である場合にも、当該棚が前方に引き出されることで、当該棚上の商品が取り出されてしまう不都合を防止することが可能となる。これにより、棚が引出自在の可動式の棚の場合であっても厳格な商品管理を実現することが可能となる。
【００２０】
更に、腕部材は棚を架設するための棚支柱を利用して取り付けられるので、腕部材をオープンショーケースに固定するための格別な構造をオープンショーケース側に構成する必要が無くなり、汎用性に富んだものとなると共に、生産コストの高騰も抑制することができるようになるものである。
【００２１】
また、請求項２の発明によれば、上記に加えてカバーは棚に吸着する磁石を備え、この磁石が吸着した状態で棚前方において起立するようにしたので、カバーを特定の棚に取り付ける際に、腕部材と施錠するまで容易且つ安定的に棚に起立させておくことができるようになり、着脱操作性が著しく向上するものである。
【００２２】
また、請求項３の発明によれば、上記に加えて棚は、引き出し自在の可動式の棚であり、この棚の下面両側前部には当該棚の前方への移動を許容及び規制するためのストッパの操作部が設けられると共に、当該棚上の両側部には上側の棚の操作部下方に対応して商品の陳列を禁止するための間隔保持部を備え、カバーの磁石は当該カバーの両側部に設けられて各間隔保持部に吸着するようにしたので、可動式の棚のストッパの操作部とその下方の棚上の商品との干渉を防ぐための間隔保持部を利用して、カバーの磁石が陳列商品と干渉することを防止することができるようになり、当該特定の棚上に商品が陳列された状態で支障なくカバーを取り付けることが可能となるものである。
【００２３】
また、請求項４の発明によれば、上記各発明に加えてカバーは、棚に取り付けられた状態で、棚の前面に設けられたプライスレールも覆うようにしたので、販売を制限したい商品名も隠すことができるようになり、係る商品を故意に取り出されることをより確実に防止することが可能となるものである。
【００２４】
また、請求項５の発明によれば、上記各発明に加えてカバーの上部は後側に折曲され、後方に所定距離延在するように構成されているので、複数段の棚が所謂雛壇式に設けられ、特定の棚の上側の棚が当該特定の棚よりも後退している場合にも、カバー上側から手を差し入れて商品が取り出されてしまう不都合を防止することが可能となるものである。
【００２５】
また、請求項６の発明によれば、上記各発明に加えて棚は、引き出し自在の可動式の棚であり、この棚の下面前部には当該棚の前方への移動を許容及び規制するためのストッパの操作部が設けられ、カバーの上部には、上側の棚の操作部に対応する切欠が形成されているので、カバーを特定の棚に取り付けても、カバーの切欠を利用して当該特定の棚の上側の棚のストッパを支障なく操作することができるようになるものである。
【図面の簡単な説明】
【００２６】
【図１】本発明の実施形態であるオープンショーケースの正面図である。
【図２】図１のオープンショーケースの右側面図である。
【図３】図１の下部拡大縦断側面図である。
【図４】上方の棚を取り外した状態の図１のオープンショーケースの斜視図である。
【図５】図１のオープンショーケースの棚の斜視図である。
【図６】図１のオープンショーケースのデッキパン（棚）の斜視図である。
【図７】図１のオープンショーケースのカバーと腕部材の斜視図である。
【図８】図７のカバーの後方斜視図である。
【発明を実施するための形態】
【００２７】
以下、図面に基づき本発明の実施形態を詳述する。図１は本発明の実施形態であるオープンショーケース１の正面図、図２は図１のオープンショーケース１の右側面図、図３は図１のオープンショーケース１の下部拡大縦断側面図をそれぞれ示している。各図において、実施例のオープンショーケース１は、例えばコンビニエンスストアなどに設置されてドリンク類の陳列販売に供されるものであり、前面に開口する断面略コ字状の断熱壁６と、この断熱壁６の左右に取り付けられた側板７、７とから構成されている。
【００２８】
この断熱壁６の背壁内側には仕切板（インテリアリア）８が取り付けられ、その前側を前面に開口する陳列室９とし、仕切板８と断熱壁６間をダクト１１としている。即ち、仕切板８は陳列室９の背面に位置している。また、断熱壁６の天壁６Ａは底壁６Ｂよりも奥側で終了しており、天壁６Ａの前端下側、即ち、陳列室９の前面開口２の上縁に冷気吐出口１２が形成され、底壁６Ｂの前端上側、即ち、前面開口２の下縁に冷気吸込口１３が形成されて、それぞれダクト１１に連通している。
【００２９】
このダクト１１内には冷却装置の冷凍サイクルを構成する図示しない冷却器と送風機が設置され、断熱壁６の底壁６Ｂ下側に構成された機械室内には、前記冷却器と共に冷凍サイクルを構成する圧縮機、凝縮器及び凝縮器用送風機などが設置されている。
【００３０】
そして、陳列室９内の背面両側には上下に所定間隔で複数の係合孔１８が穿設された棚支柱１７、１７が取り付けられており、この棚支柱１７、１７間に渡って詳細は後述する商品を陳列するための金属製の棚３（本発明における複数段の棚のうちの少なくとも一つの棚）が上下複数段に渡って架設されている。また、陳列室９の底面には、棚３と同様の機能を奏し、本発明においては商品を陳列するための棚に含まれる金属製のデッキパン５が取り付けられている。
【００３１】
各棚３及びデッキパン５上の空間（商品陳列スペース）後方に対応する仕切板８には、左右に渡ってパンチングにより穿設された複数の冷気吹出孔１０が形成されている。尚、各冷気吹出孔１０は、上段の棚３に対応して形成されているものほど穿設数が少なく、下段の棚３に対応して形成されているものほど穿設数が多いものとされている。また、各冷気吹出孔１０は、それぞれダクト１１に連通している。
【００３２】
これにより、前記冷却装置の圧縮機とダクト１１内に配設された送風機が運転されると、ダクト１１内に配設された冷却器が冷却作用を発揮する。この冷却器にて冷却されたダクト１１内の冷気は、送風機にて吸い上げられて上方に吹き上げられ、やがて最上部の冷気吐出口１２から陳列室９内に吐出される。
【００３３】
冷気吐出口１２から吐出される冷気は、陳列室９の前下部に向けて指向される。これにより、陳列室９の前面開口２の上縁に形成された冷気吐出口１２から吐出された冷気は、前面開口２の下縁に形成された冷気吸込口１３に吸い込まれ、陳列室９の前面開口２には、冷気エアーカーテンが形成される。
【００３４】
また、仕切板８には、ダクト１１内と陳列室９内とを連通する冷気吹出孔１０が複数形成されているため、各冷気吹出孔１０を介して、陳列室９内に架設された各棚３上の空間には、後方から冷気が吹き出される。尚、仕切板８に穿設される冷気吹出孔の数により各棚３上方への冷気吹出量を調整しても良いが、これに限定されるものではなく、形成される冷気吹出孔１０の穿設面積によって調整しても良い。
【００３５】
そして、陳列室９内に吐出或いは吹き出された冷気は、最終的に冷気吸込口１３からダクト１１内に帰還する循環を行う。これにより、陳列室９内は、所定の温度に冷却される。
【００３６】
次に、本発明のカバー５０が着脱自在に取り付けられる棚３及びデッキパン５について説明する。棚３は、図５に示すように後端に上下所定間隔を有して後方に突出し、棚支柱１７の係合孔１８に係脱自在に係合する鉤状の複数の係合爪２２Ａ・・を有して前方に延在する左右一対のブラケット２２と、このブラケット２２の内側に前後摺動自在に取り付けられた図示しないレール部材と、このレール部材に摺動自在に係合支持された可動棚２４（金属製）とから構成された可動式の棚である。
【００３７】
デッキパン（棚）５も、図６に示すように断熱壁６に取り付けられたブラケット２６と、このブラケット２６の内側に前後摺動自在に取り付けられた図示しないレール部材と、このレール部材に摺動自在に係合支持された前述同様の可動棚２４とから構成された可動式の棚である。
【００３８】
上記レール部材により、各棚３及びデッキパン５の可動棚２４は陳列室９内から前方（手前側）に引き出し自在とされているが、各棚３及びデッキパン５の下面前部の両側に位置する可動棚２４の下面には、当該可動棚２４の前方への移動を許容及び規制するためのストッパ２８とその操作部２８Ａが取り付けられている（図３でデッキパン５についてのみ示す）。
【００３９】
可動棚２４を陳列室９内から引き出す場合には、可動棚２４の下面に設けられたストッパ２８の操作部２８Ａを操作して可動棚２４の前方への移動を許容させる。そして、レール部材によりブラケット２２、２６に対して可動棚２４を前方に摺動させる。そして、可動棚２４を陳列室９内に収納する場合には、当該可動棚２４を後方に押し込む。その際の押し込み力によって、ストッパ２８が規制状態に復帰し、可動棚２４の前方への移動が規制される。
【００４０】
また、可動棚２４の前端部には商品名を記載したプライスカードを取り付けるためのプライスレール３１が取り付けられている。更に、可動棚２４上の両側部には、商品の陳列を禁止するための間隔保持部（金属製）３２、３２が階段状に隆起して構成されている。この間隔保持部３２は、上側の棚３の下面両側前部に取り付けられているストッパ２８及びその操作部２８Ａの下方に対応しており、商品が可動棚２４の両端に載置され、或いは、載置された後に移動するのを禁止し、上側の棚３のストッパ２８及びその操作部２８Ａに、下側のデッキパン５（又は棚３）の可動棚２４上の商品が衝突し、相互に干渉し合わないようにするためのガードである。
【００４１】
一方、デッキパン５及び棚３の前端部には、対応するデッキパン（棚）５又は棚３上の空間が前方に開放した状態と、当該空間前部が閉じた状態とに変更可能なカバー５０が着脱自在に取付可能とされる。尚、各図に示す実施例ではデッキパン５に取り付けた例を示している。当該カバー５０は、板状部材にて構成されており、デッキパン５前端部及び棚３前端部の左右方向に延在し、且つ、当該デッキパン５及び棚３上の空間を前方に位置して上下に延在して構成される。
【００４２】
本実施例では、カバー５０がデッキパン５（又は棚３）前端部に取り付けられた状態で、高さ寸法は、当該デッキパン５（又は棚３）の直ぐ上の棚３の下端に近接、又は、当接、若しくは、最上段の棚３の場合には、冷気吐出口１２、若しくは、その後方に近接する寸法とする。
【００４３】
即ち、カバー５０の上部は図７、図８に示すように後方に折曲されて上壁部５１とされており、この上壁部５１は所定距離で後方に延在している。カバー５０がデッキパン５（又は棚３）に取り付けられた状態で、この上壁部５１と直ぐ上の棚３との間隔、若しくは、前面開口２上縁との間隔は、少なくとも当該デッキパン５（又は棚３）の可動棚２４上に陳列される商品Ｓの幅寸法よりも小さくなるように構成され、当該カバー５０にてデッキパン５（又は棚３）上の空間前部が閉じられた状態でデッキパン５（又は棚３）上の商品Ｓを外部に取り出し不能とされるよう構成されている。
【００４４】
この場合、上壁部５１の両側部には切欠５１Ａ、５１Ａが形成されている。各切欠５１Ａ、５１Ａはカバー５０がデッキパン５（又は棚３）に取り付けられた状態で、その上側に位置する棚３のストッパ２８の操作部２８Ａに対応する。
【００４５】
また、カバー５０の両側部も後方に折曲されて側壁部５２、５２とされている。また、この側壁部５２、５２の下縁には磁石（永久磁石）ＭＧがそれぞれ設けられている。この側壁部５２と、５２と側板７、７との間隔も、少なくともデッキパン５（又は棚３）に陳列される商品Ｓの幅寸法よりも小さくなるように構成され、当該カバー５０にてデッキパン５（又は棚３）上の空間前部が閉じられた状態でデッキパン５（又は棚３）上の商品Ｓを外部に取り出し不能とされるよう構成されている。
【００４６】
各側壁部５２、５２には前方に突出する金具５５が取り付けられており、この金具５５の前部には後述する一対の腕部材５６を連結し、施錠するための施錠具５７（錠前）を取り付けるための孔５５Ａが形成されている。
【００４７】
また、カバー５０の下部は、後述する如く磁石ＭＧが間隔保持部３２に吸着した状態で、デッキパン５（又は棚３）の前方においてプライスレール３１より下方まで降下し、当該プライスレール３１を覆う寸法とされている。
【００４８】
そして、図中５６は腕部材である。この腕部材５６は金属板から成り、その後端には上下所定間隔を有して後方に突出する鉤状の複数の係合爪５６Ａ・・が形成されている。また、腕部材５６の前端部には、カバー５０に連結し、施錠するための前記施錠具５７を取り付けるための孔５６Ｂが形成されている。
【００４９】
以上の構成により、医薬品などの薬事法によりその販売時間帯などが制限された商品Ｓが特定の棚３又はデッキパン５上、本実施例では、最下段のデッキパン５に陳列された場合について説明する。この場合、当該商品Ｓの販売が可能な時間帯には、他の棚３と同様に、当該デッキパン５上の空間９Ａが前方に開放した状態とする。これにより、顧客による任意な商品選択及び取出が可能となる。
【００５０】
他方、当該商品Ｓの販売に制限が課される時間帯では、当該商品Ｓが陳列されたデッキパン５（特定の棚）の前部に上述したようにカバー５０を取り付ける。次に、その取付手順を説明する。先ず、デッキパン５のストッパ２８の操作部２８Ａを操作して商品Ｓを載せたままデッキパン５を手前の陳列室９外に引き出す。次に、腕部材５６を左右一対用意し、それらの係合爪５６Ａを左右の棚支柱１７のデッキパン５よりも所定寸法高い位置の係合孔１８に係脱自在にそれぞれ係合する。このとき、各腕部材５６、５６は側板７の内側に沿う。
【００５１】
次に、カバー５０をデッキパン５の前部に載置する。このとき側壁部５２、５２の磁石ＭＧ、ＭＧがデッキパン５の間隔保持部３２、３２上に載置され、それに磁力によって着脱自在に吸着する。この状態でカバー５０はデッキパン５の前方において自立状態で起立する。そして、デッキパン５上の空間９Ａの前方を前述したように商品Ｓの取り出しが不能となるように閉じる。また、前述した如くカバー５０の下部はデッキパン５のプライスレール３１を覆う。
【００５２】
次に、各腕部材５６、５６の孔５６Ｂをカバー５０の両側の金具５５、５５の孔５５Ａにそれぞれ合致させ、それらに施錠具５７を挿通して施錠し、且つ、カバー５０と各腕部材５６、５６を連結する。
【００５３】
このように、カバー５０にてデッキパン５（特定の棚）上の空間９Ａ前部を閉じることで、当該デッキパン５（又は棚３）上の商品Ｓを取り出せないようにすることが可能となる。これにより、例えば薬事法などにより販売形態が制限される商品であっても、当該商品が陳列されるデッキパン５（又は棚３）上の空間９Ａ前部をカバー５０にて閉じることにより、顧客が任意に当該商品を取り出して販売に供されてしまう不都合を未然に回避することが可能となる。
【００５４】
特に、腕部材５６と施錠具５７にてこのカバー５０の取り外しを禁止することできるため、デッキパン５（又は棚３）上の空間９Ａ前部が閉じられた状態を厳格に維持することができ、顧客等により故意にカバー５０が取り外される等によって、当該前部が閉じられた状態のデッキパン５（又は棚３）上から商品等が任意に取り出されてしまう不都合を確実に回避することができる。
【００５５】
また、腕部材５６をカバー５０に施錠した状態で、カバー５０は前方に移動できなくなるので、デッキパン５（又は棚３）が前方に引き出されることで、当該デッキパン５（又は棚３）上の商品が取り出されてしまう不都合を防止することが可能となる。これにより可動式のデッキパン５や棚３の場合であっても厳格な商品管理を実現することが可能となる。
【００５６】
更に、腕部材５６は棚３を架設するための棚支柱１７を利用して取り付けられるので、腕部材５６をオープンショーケース１に固定するための格別な構造をオープンショーケース１側に構成する必要が無くなり、汎用性に富んだものとなると共に、生産コストの高騰も抑制することができるようになる。
【００５７】
また、カバー５０はデッキパン５（又は棚３）に吸着する磁石ＭＧを備え、この磁石ＭＧが吸着した状態でデッキパン５（又は棚３）前方において起立するようにしたので、カバー５０を取り付ける際に、腕部材５６と施錠するまで容易且つ安定的にデッキパン５（又は棚３）に起立させておくことができるようになり、着脱操作性が著しく向上する。
【００５８】
また、カバー５０の磁石ＭＧは当該カバー５０の両側部に設けられてデッキパン５（又は棚３）の各間隔保持部３２、３２に吸着するようにしたので、可動式の棚３のストッパ２８の操作部２８Ａとその下方のデッキパン５（又は棚３）上の商品との干渉を防ぐための間隔保持部３２、３２を利用して、カバー５０の磁石ＭＧが陳列商品と干渉することを防止することができるようになり、当該デッキパン５（又は棚３）上に商品が陳列された状態で支障なくカバー５０を取り付けることが可能となる。
【００５９】
また、カバー５０は、デッキパン５（又は棚３）に取り付けられた状態で、前面に設けられたプライスレール３１も覆うようにしたので、販売を制限したい商品名も隠すことができるようになり、係る商品を故意に取り出されることをより確実に防止することが可能となる。
【００６０】
また、カバー５０の上部は後側に折曲され、後方に所定距離延在する上壁部５１が構成されているので、実施例のように複数段の棚３が所謂雛壇式に設けられ、デッキパン５（又は棚３）の上側の棚３がデッキパン５（又は棚３）よりも後退している場合にも、この後退した寸法分を上壁部５１が補い、カバー５０上側から手を差し入れて商品が取り出されてしまう不都合を防止することが可能となる。
【００６１】
また、カバー５０の上壁部５１には、上側の棚３の操作部２８Ａに対応する切欠５１Ａが形成されているので、カバー５０をデッキパン５（又は棚３）に取り付けても、カバー５０の切欠５１Ａを利用して当該デッキパン５（又は棚３）の上側の棚３のストッパ２８を支障なく操作することができるようになる。
【００６２】
尚、実施例では陳列室９底面のデッキパン５（棚に含まれる）にカバー５０を取り付けたが、それに限らず、その上方の棚３に取り付けても良い。但し、上部の棚３は前後寸法が小さくなるので、それらの棚３に取り付ける場合には、腕部材５６の寸法を短くするものとする。
【００６３】
また、実施例では可動式の棚やデッキパンを用いたが、必ずしもそれに限られるものでは無く、通常の固定式の棚やデッキパンでも本発明は有効である。
【符号の説明】
【００６４】
Ｓ    商品
１    オープンショーケース
２    前面開口
３    棚
５    デッキパン（棚）
９    陳列室
１１    ダクト
１２    冷気吐出口
１３    冷気吸込口
１７    棚支柱
１８    係合孔
２４    可動棚
２８    ストッパ
２８Ａ  操作部
３１    プライスレール
３２    間隔保持部
５０    カバー
５１    上壁部
５１Ａ  切欠
５２    側壁部
５６    腕部材
５７    施錠具
【図１】
0005642502.tif 000002
【図２】
0005642502.tif 000003
【図３】
0005642502.tif 000004
【図４】
0005642502.tif 000005
【図５】
0005642502.tif 000006
【図６】
0005642502.tif 000007
【図７】
0005642502.tif 000008
【図８】
0005642502.tif 000009